(57)【要約】【課題】専用の遮光部材や導箔パターンを必要とすることなく、簡単な構造で貫通した端子穴から装置本体の内部に進入する光線を遮光することができる撮像装置を提供する。【解決手段】撮像装置は、装置本体の内部に配置されるプリント回路基板１３と、プリント回路基板１３に実装され、貫通した端子穴１７ａを有して装置本体の外部に露出するインターフェース端子１７と、プリント回路基板１３に実装されるコネクタ２２と、を備える。コネクタ２２は、インターフェース端子１７の端子穴１７ａの装置本体の内部側の開口に対向する位置に配置される。【選択図】図８
2012128244.tif 000002
【特許請求の範囲】
【請求項１】
装置本体と、
前記装置本体の内部に配置される基板と、
前記基板に実装され、貫通した端子穴を有して前記装置本体の外部に露出する端子と、  前記基板に実装されるコネクタと、を備え、
前記コネクタは、前記端子の前記端子穴の前記装置本体の内部側の開口に対向する位置に配置されることを特徴とする撮像装置。
【請求項２】
前記コネクタは、前記端子から出力される信号をフレキシブル基板を介して伝達するために用いられることを特徴とする請求項１に記載の撮像装置。
【請求項３】
前記コネクタは、前記端子穴の前記装置本体の内部側の開口の全域を覆うように配置されることを特徴とする請求項１又は２に記載の撮像装置。
【請求項４】
前記コネクタは、遮光性を有する樹脂材で形成されることを特徴とする請求項１乃至３のいずれか一項に記載の撮像装置。
【発明の詳細な説明】
【技術分野】
【０００１】
本発明は、例えばデジタルカメラ等の撮像装置に関する。
【背景技術】
【０００２】
デジタルカメラ等の撮像装置では、インターフェース端子の端子穴が貫通しているものがあり、この場合、カメラ本体内への外部からの光線の進入を防止するため、貫通穴と撮像素子との間に遮光シート等の遮光部材を配置して遮光を行うようにしている。
【０００３】
しかし、このように、専用の遮光部材を用いて遮光を行うと、部品点数及び組立工程が増えてコスト高になる。
【０００４】
そこで、専用の遮光部材を用いずに遮光を行う技術として、Ｕ字状に折り返して配設したフレキシブル配線基板によってカメラ本体の貫通穴から進入する光線を遮光する技術が開示されている（特許文献１）。
【０００５】
また、カメラ本体の貫通穴を介して露出する回路部品を備えるカメラにおいて、回路部品が接続されるプリント回路基板に導箔パターンを設けることで、貫通穴から進入する光線を遮光する技術が開示されている（特許文献２）。
【先行技術文献】
【特許文献】
【０００６】
【特許文献１】特開平７−１３２４４号公報
【特許文献２】特開２０００−３０５１４３号公報
【発明の概要】
【発明が解決しようとする課題】
【０００７】
しかし、上記特許文献１では、貫通穴の位置にＵ字状に折り曲げたフレキシブル配線基板を配置することになるため、カメラ本体内の構造が複雑となり、カメラ本体内での他の部材のレイアウト上の制約が生じる。
【０００８】
また、上記特許文献２では、プリント回路基板に遮光用の導箔パターンを設ける必要があるため、その分コスト高になる。
【０００９】
そこで、本発明は、専用の遮光部材や導箔パターンを必要とすることなく、簡単な構造で貫通した端子穴から装置本体の内部に進入する光線を遮光することができる撮像装置を提供することを目的とする。
【課題を解決するための手段】
【００１０】
上記目的を達成するために、本発明の撮像装置は、装置本体と、前記装置本体の内部に配置される基板と、前記基板に実装され、貫通した端子穴を有して前記装置本体の外部に露出する端子と、前記基板に実装されるコネクタと、を備え、前記コネクタは、前記端子の前記端子穴の前記装置本体の内部側の開口に対向する位置に配置されることを特徴とする。
【発明の効果】
【００１１】
本発明によれば、専用の遮光部材や導箔パターンを必要とすることなく、簡単な構造で貫通した端子穴から装置本体の内部に進入する光線を遮光することができる。
【図面の簡単な説明】
【００１２】
【図１】（ａ）は本発明の撮像装置の実施形態の一例であるデジタル一眼レフカメラのカメラ本体を正面側から見た斜視図、（ｂ）は（ａ）に示すカメラ本体を背面側から見た斜視図である。
【図２】カメラ本体に対して表示ユニットを開いた状態を示す斜視図である。
【図３】ヒンジ機構の一例を示す分解斜視図である。
【図４】カメラ本体を背面側から見た一部を分解した斜視図である。
【図５】カメラ本体から側面カバー、及び端子カバーを取り外し、表示ユニットを１８０°開いた状態で、インターフェース端子側からカメラ本体を見た図である。
【図６】インターフェース端子の取り付け構造の一例を説明するための分解斜視図である。
【図７】インターフェース端子を実装したプリント回路基板の斜視図である。
【図８】インターフェース端子の端子穴にマイクプラグを差し込んだ状態での図７のＤ−Ｄ線断面図である。
【発明を実施するための形態】
【００１３】
以下、本発明の実施形態の一例を図面を参照して説明する。
【００１４】
図１（ａ）は本発明の撮像装置の実施形態の一例であるデジタル一眼レフカメラのカメラ本体を正面側から見た斜視図、図１（ｂ）は図１（ａ）に示すカメラ本体を背面側から見た斜視図である。
【００１５】
本実施形態のデジタル一眼レフカメラは、図１に示すように、カメラ本体１の正面側には、レンズマウント部１ａが設けられ、レンズマウント部１ａには、不図示のレンズ鏡筒が着脱可能に装着される。また、カメラ本体１の背面側には、表示ユニット２がヒンジ機構３の開閉軸線Ａを中心に開閉可能に支持されている。ここで、カメラ本体１は、本発明の装置本体の一例に相当する。
【００１６】
図２は、カメラ本体１に対して表示ユニット２を開いた状態を示す斜視図である。図２に示すように、カメラ本体１に対して表示ユニット２を開いた状態では、表示ユニット２は、表示面２ａを撮影者側に向けており、この状態で、カメラ本体１に対してヒンジ機構３の回転軸線Ｂを中心に回転可能に支持されている。また、カメラ本体１に対して表示ユニット２を閉じた状態では、表示ユニット２は、カメラ本体１の背面カバー４に設けられた収納凹部１ｂに収納される。
【００１７】
図３は、ヒンジ機構３の一例を示す分解斜視図である。図３に示すように、ヒンジ機構３は、カメラ本体１の背面カバー４にビス等により取り付けられる取り付け部３０１ａ，３０１ｂを備え、取り付け部３０１ａ，３０１ｂの間には、ベース部材３１２が配置される。取り付け部３０１ａとベース部材３１２には、開閉軸３０２が取り付けられ、取り付け部３０１ｂとベース部材３１２には、開閉軸３０３が取り付けられる。
【００１８】
ベース部材３１２は、開閉軸３０２，３０３に対して回転軸線Ａを中心に回動可能に支持されており、開閉軸３０２に形成されたストッパ部３０２ａにベース部材３１２に形成された不図示の突起が当接することで、表示ユニット２の開き角度を１８０°に規制する。また、開閉軸３０３には、可動カム３０４が軸方向に移動可能に挿入され、コイルばね３０７は、可動カム３０４を開閉軸３０３に設けられたカム面の方向に付勢する。
【００１９】
ベース部材３１２には、表示ユニット２が取り付けられる取り付け部３０８の回転軸３０８ａが回転軸線Ｂを中心にして回転可能に支持されており、板ばね３１０は、回転軸３０８ａに所定のトルクを与える。回転軸３０８ａには、ストッパ部材３１１が嵌め込まれており、ストッパ部材３１１のストッパ部がベース部材３１２に形成された不図示の突起に当接することで、表示ユニット２の回転角度を一定範囲に規制する。
【００２０】
また、ベース部材３１２は、カシメ部材３０９が回動可能に支持される。外装カバー３１３，３１４は、ビス３１５によりベース部材３１２に固定されて、ヒンジ機構３の外装を形成する。
【００２１】
図４は、カメラ本体１を背面側から見た一部を分解した斜視図である。図４において、端子カバー６は、ゴム等で形成されており、樹脂等で形成された側面カバー５に圧入されて、カメラ本体１の側面部に露出するインターフェース端子１５，１６，１７を覆って保護している。外装ラバー７は、カメラ本体１の背面側から見て左側の側面部の外装を形成し、ユーザが把持した際に滑り止めの役割を持つ。
【００２２】
図５は、カメラ本体１から側面カバー５、及び端子カバー６を取り外し、表示ユニット２を１８０°開いた状態で、インターフェース端子１５，１６，１７側からカメラ本体１を見た図である。
【００２３】
図５において、インターフェース端子１５は、カメラ本体１に外部機器を接続するための端子であり、プリント回路基板１２に実装されている。インターフェース端子１６，１７は、カメラ本体１に周辺機器を接続するための端子であり、プリント回路基板１３に実装されている。インターフェース端子１６は、本実施形態では、リモートコントローラ端子であり、インターフェース端子１７は、本実施形態では、端子穴が貫通したマイク端子である。
【００２４】
インターフェース端子１６，１７は、主にカメラの撮影状態において使用されるため、表示ユニット２の回転軌跡Ｃから外れた位置に配置して、周辺機器を接続した際に、表示ユニット２の回転を妨げないようにしている。
【００２５】
図６は、インターフェース端子１５，１６，１７の取り付け構造の一例を説明するための分解斜視図である。図６に示すように、インターフェース端子１５を実装したプリント回路基板１２は、カメラ本体１の背面側からシャーシ１０にビス１１等によって固定される。インターフェース端子１６，１７を実装したプリント回路基板１３は、カメラ本体１の正面側（被写体側）からシャーシ１０にビス１１等によって固定される。
【００２６】
インターフェース端子１６，１７から出力された電気信号は、プリント回路基板１３上のコネクタ２２からフレキシブル基板１９、及びプリント回路基板１２上のコネクタ１４を介してプリント回路基板１２に伝達され、所定の処理が施される。
【００２７】
また、プリント回路基板１２には、撮像素子ユニット２０が配置されており、撮像素子ユニット２０から出力された電気信号は、不図示のコネクタ及びフレキシブル基板１８を介してプリント回路基板１２に伝達され、所定の処理が施される。
【００２８】
ここで、端子穴が貫通したインターフェース端子１７は、撮像素子の撮像面よりも光軸方向の被写体側に配置されるため、インターフェース端子１７の端子穴からカメラ本体１の内部に光線が進入するのを防止する遮光構造が必要となる。
【００２９】
図７及び図８を参照して、本実施形態のデジタル一眼レフカメラにおける遮光構造について説明する。図７は、インターフェース端子１６，１７を実装したプリント回路基板１３の斜視図であり、インターフェース端子１７の端子穴１７ａにマイクプラグ２１を差し込む前の状態を示す。図８は、インターフェース端子１７の端子穴１７ａにマイクプラグ２１を差し込んだ状態での図７のＤ−Ｄ線断面図である。
【００３０】
端子カバー６が開かれて、かつインターフェース端子１７の端子穴１７ａにマイクプラグ２１が差し込まれていない状態では、端子穴１７ａがカメラ本体１の外部に露出するため、端子穴１７ａからカメラ本体１の内部に光線が進入する可能性がある。
【００３１】
そこで、本実施形態では、図７及び図８に示すように、インターフェース端子１７の端子穴１７ａのカメラ本体１の内部側の開口に対向する位置に、コネクタ２２が配置されている。これにより、端子穴１７ａの開口をコネクタ２２及びコネクタ２２に接続されたフレキシブル基板１９で覆って端子穴１７ａから進入する光線を遮光している。
【００３２】
一般的に、フレキシブル基板のコネクタの接続部は、導電パターンが密に配線されている部分であり、遮光性能が高い。また、フレキシブル基板１９のコネクタ２２の接続部には、ポリイミド等の補強部１９ａが設けられるため、この補強部１９ａに黒色染料等を含ませ、更に遮光性を高める事も可能である。
【００３３】
コネクタ２２は、マイクプラグ２１と干渉しない範囲で可能な限り端子穴１７ａの開口に接近して配置することが好ましい。また、コネクタ２２は、黒色の液晶ポリマー（ＬＣＰ）等の遮光性を有する樹脂材であることが好ましい。
【００３４】
一般に、コネクタは、内部に銅合金等による金属接片を持つため、高い遮光性を有する。従って、金属接片を２重に持つという観点から、コネクタ２２は、両接点タイプのコネクタであることが好ましい。また、端子穴１７ａの開口の全域を覆うという観点から、コネクタ２２は、プリント回路基板１３の板厚方向に面積の大きい垂直実装型のコネクタであることが好ましい。
【００３５】
以上説明したように、本実施形態では、専用の遮光部材や導箔パターンを必要とすることなく、簡単な構造でインターフェース端子１７の貫通した端子穴１７ａからカメラ本体１の内部に進入する光線を遮光することができる。
【００３６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３７】
１  カメラ本体
１２，１３  プリント回路基板
１４，２２  コネクタ
１７  インターフェース端子
１７ａ  端子穴
１９  フレキシブル基板
【図１】
2012128244.tif 000003
【図２】
2012128244.tif 000004
【図３】
2012128244.tif 000005
【図４】
2012128244.tif 000006
【図５】
2012128244.tif 000007
【図６】
2012128244.tif 000008
【図７】
2012128244.tif 000009
【図８】
2012128244.tif 000010